(57)【要約】【課題】トップパネルの裏側に仕上げ面を設けると共に、トップパネルの剛性が確保された戸棚を提供する。【解決手段】食器戸棚における本体の上部を構成するトップパネル１６は、パネル本体３２と、パネル本体３２の前部に取付けられるフロントフレーム３４とから構成される。フロントフレーム３４をパネル本体３２に取付けた際に、パネル本体３２の裏面３２ａが仕上げ面を構成する。更に、フロントフレーム３４の前面部５２が、トップパネル１６の前面側の仕上げ面を構成すると共に、フロントフレーム３４はトップパネル１６の補強材として機能する。【選択図】図４
2008093417.tif 000002
【特許請求の範囲】
【請求項１】
本体(22)に内部画成された収納室(26)に、該本体(22)の前方に開設した開口部(22a)を介して被収納物を収納するようにした戸棚において、
前記本体(22)の上部を構成するトップパネル(16)は、パネル本体(32)と、該パネル本体(32)の前部に取付けられるフロントフレーム(34)とを備え、
前記パネル本体(32)の裏面(32a)を仕上げ面として構成した
ことを特徴とする戸棚。
【請求項２】
前記フロントフレーム(34)は、少なくとも前記トップパネル(16)の上面の一部をなす平坦部(50)および該トップパネル(16)の前面をなす前面部(52)を形成するよう鋼材を折曲成形したものであって、該フロントフレーム(34)は、前記パネル本体(32)に取付けた際に補強材として機能する請求項１記載の戸棚。
【請求項３】
前記フロントフレーム(34)の前面部(52)は、前記トップパネル(16)の前面側の仕上げ面を構成する請求項２記載の戸棚。
【請求項４】
前記フロントフレーム(34)は、前記パネル本体(32)にリベット(68)を介して取付けられる請求項１〜３の何れか一項に記載の戸棚。
【発明の詳細な説明】
【技術分野】
【０００１】
この発明は、本体に内部画成した収納室に食器類等の被収納物を収納するよう構成した戸棚に関するものである。
【背景技術】
【０００２】
例えば、厨房に設置される食器類等を収納する戸棚は、箱状の本体の内部に、食器類等が収納される収納室が画成されると共に、該本体の前方に開設された矩形状の開口部がスライド扉または観音開き式の扉により開閉されるよう構成される(例えば、特許文献１参照)。
【０００３】
前記本体は、ステンレス鋼等を材料とする鋼板を折曲げ加工した５枚の板材を、相互に溶接固定することで構成されている。すなわち、トップパネル、ボトムパネル、バックパネルおよび左右のサイドパネルからなる板材を相互に組付けて、前記本体が形成されるようになっている。
【特許文献１】特開２００５−４６５８９号公報
【発明の開示】
【発明が解決しようとする課題】
【０００４】
ところで、前記戸棚が設置される厨房等のスペースは狭い場合が多く、従って、戸棚の設置スペースも必然的に制限されることがある。従って、限られた設置スペースを有効利用しつつ戸棚の収納量を確保するため、戸棚の面積寸法はそのままに高さ寸法が大きくされる傾向があり、人間の背丈よりも大きな戸棚も多く見受けられる。また、戸棚本体の上部を構成するトップパネルは、従来、外部に露出する表面側が仕上げ加工されて仕上げ面をなすが、前述の如く、人間の背丈よりも大きな戸棚においては、トップパネルの表面側が視認されることは殆どない。むしろ、戸棚の扉を開放した際に、前記開口部を介してトップパネルの裏側が見えてしまうことがある。通常、トップパネルの裏側には、成形加工時に生じる加工キズ等がそのまま残されていることが多く、扉開放時に、開口部を介して見えるトップパネルの裏側にキズがあると、戸棚の商品価値が低下する欠点があった。
【０００５】
また、従来の戸棚には、前記トップパネルの裏側に補強のための補強材が設けられることがあるが、この補強材は、戸棚の組立て作業に先立ち、リベットおよび溶接によりトップパネル裏側に固定される。すなわち、トップパネルに対する補強材の固定は、リベットの取付工程および溶接工程の２つの工程を要し、組付け作業の煩雑化・長期化を招いていた。
【０００６】
そこで本発明は、前述した従来の技術に内在している前記問題に鑑み、これを好適に解決するべく提案されたものであって、扉の開放時において視認されるトップパネルの裏側の見映えを良好にすると共に、補強材を別途用いることなくトップパネルの剛性を確保し得る戸棚を提供することを目的とする。
【課題を解決するための手段】
【０００７】
前述した課題を解決し、所期の目的を好適に達成するため、本発明に係る戸棚は、
本体に内部画成された収納室に、該本体の前方に開設した開口部を介して被収納物を収納するようにした戸棚において、
前記本体の上部を構成するトップパネルは、パネル本体と、該パネル本体の前部に取付けられるフロントフレームとを備え、
前記パネル本体の裏面を仕上げ面として構成したことを特徴とする。
請求項１の発明によれば、トップパネルをパネル本体とフロントフレームとから構成し、パネル本体の裏面を仕上げ面として構成したので、扉開放時に開口部を介して視認されるトップパネルの裏側の見映えを良好にして商品価値を高めることができる。
【０００８】
請求項２に係る戸棚では、前記フロントフレームは、少なくとも前記トップパネルの上面の一部をなす平坦部および該トップパネルの前面をなす前面部を形成するよう鋼材を折曲成形したものであって、該フロントフレームは、前記パネル本体に取付けた際に補強材として機能するようにした。
請求項２によれば、フロントフレームはトップパネルの補強材として機能するので、補強材をトップパネルに別途設ける必要がなく、部品点数の低減を図ることが可能となる。
【０００９】
請求項３に係る戸棚では、フロントフレームの前面部は、前記トップパネルの前面側の仕上げ面を構成する。
請求項３の発明によれば、フロントフレームの前面部がトップパネルの仕上面を構成するようにしたので、戸棚の前面に化粧板等を別途設ける必要がなく、部品点数の増加を回避し得る。
【００１０】
請求項４に係る戸棚では、前記フロントフレームは、前記パネル本体にリベットを介して取付けられる。
請求項４の発明によれば、パネル本体とフロントフレームとは、リベットを介して取付けられるので、溶接の工程を必要とせず、作業工程数を抑制して作業時間を短縮し得る。
【発明の効果】
【００１１】
本発明に係る戸棚によれば、パネル本体の裏面を仕上げ面とすることで戸棚の商品価値を高めることができると共に、補強材を用いることなくトップパネルの剛性を確保し得る。
【発明を実施するための最良の形態】
【００１２】
次に、本発明に係る戸棚につき、好適な実施例を挙げて、添付図面を参照しながら以下説明する。なお、以下の説明において「右」、「左」、「前」および「後」とは、図１に示す如く、戸棚を正面側から見た場合に基づき指称することとする。
【００１３】
図１は、実施例に係る食器戸棚(戸棚)１０を示す正面図であって、該食器戸棚１０は、一対のサイドパネル１２,１４、トップパネル１６、ボトムパネル１８およびバックパネル２０(図２参照)を相互に連結固定することで、前方側が開放する箱状の本体２２が構成される。この本体２２の内部には、図２に示す如く、上下方向の略中間位置に仕切板２４が配設され、本体内部には、該仕切板２４を挟んで上下に収納室２６が夫々画成されるようになっている。なお、両サイドパネル１２,１４における各収納室２６内に臨んで対向する内面には、前後に離間して棚受柱(図示せず)が上下方向に延在するよう夫々配設され、該棚受柱に着脱自在に係止された棚受金を介して、食器類を載置する棚部材(何れも図示せず)が多段的に配設可能に構成されている。
【００１４】
前記本体２２の前部には、前方に開放する矩形状の開口部２２ａが、前記仕切板２４を挟んで上下に形成されている。各開口部２２ａの内周上部および下部には、その幅方向の全長に亘って、上レール２８および下レール３０(図２参照)が設けられ、前記両レール２８,３０に、前スライド扉２９および後スライド扉３１が夫々幅(左右)方向にスライド自在に支持されて、前記開口部２２ａを開閉し得るよう構成してある。
【００１５】
前記トップパネル１６は、図３に示す如く、パネル本体３２と、該パネル本体３２の前部に取付けられるフロントフレーム３４とから構成される。パネル本体３２は、幅方向に延在して下方が開放する箱体状に形成されている。パネル本体３２の裏面３２ａは、表面処理等の仕上げ加工が施されて仕上げ面とされ、トップパネル１６の裏側を構成している。なお、パネル本体３２の裏面３２ａにおける幅方向両側には、補強材７２,７２が設けられている。また、パネル本体３２の前部には、前記フロントフレーム３４を取付けるためのブラケット３６が、幅方向全体に亘って設けられている。このブラケット３６は、図４に示すように、前記パネル本体３２に当接固定される支持部３８と、該支持部３８の下端から所要長さで前方に延出する延出部４２と、該延出部４２の前端から下方へ折曲げられた鉛直部４４とから構成され、全体でクランク形状をなしている。また、図３に示すように、前記延出部４２におけるパネル本体３２に近接する部位には、幅方向に所定間隔で複数の第１通孔４６が鉛直方向に穿設されると共に、前記鉛直部４４の下部側には、幅方向に所定間隔で複数の第２通孔４８が水平方向に穿設されている。なお、支持部３８の上端は、パネル本体３２の上面と同一レベルに位置している。
【００１６】
前記フロントフレーム３４は、ステンレス鋼等の薄板材を側面視で略Ｌ字状に折曲成形したものであって、トップパネル１６の上面の一部をなす平坦部５０と、該平坦部５０の前端から鉛直下方に延出し、前面に仕上げ加工が施されてトップパネル１６の前方側の仕上げ面を構成する前面部５２とを備えている。また、前記前面部５２の下端から後方へ向けて下面部５４が延出しており、該下面部５４の後部は上方へ向けて折り曲げられて鉛直固定片５６が形成されている。一方、前記平坦部５０の後端には、下方へ向けて延出する後壁部５８が形成され、該後壁部５８の下部に前方側へ延出する水平固定片６０が設けられる。
【００１７】
ここで、図４(ｂ)に示すように、前記フロントフレーム３４の前面部５２の前面から鉛直固定片５６の後面までの距離をｌ１、該前面部５２の前面から後壁部５８の後面までの距離をＬとし、更に、鉛直部４４の前面から支持部３８の前面までの距離をｌ２とすると、これらの値は、Ｌ＝ｌ１＋ｌ２の関係を満たすよう設定される。また、前記平坦部５０の上面から前記水平固定片６０の下面までの距離ｌ３は、前記延出部４２の上面から支持部３８の上端までの距離と一致している。従って、前記フロントフレーム３４をブラケット３６に取付けるに際し、前記鉛直固定片５６の後面を鉛直部４４の前面に当接した状態で、前記後壁部５８の後面が前記支持部３８の前面に当接すると共に、水平固定片６０の下面を延出部４２の上面に当接した状態で、前記平坦部５０の上面が支持部３８の上端と同一レベルに位置し、フロントフレーム３４およびブラケット３６は確実に整合するよう構成されている。これより、前記フロントフレーム３４の平坦部５０の上面と前記パネル本体３２の上面とが同レベルで一致して、トップパネル１６の上面を構成するようになっている。更に、前述した如く、前記フロントフレーム３４の前面部５２は、トップパネル１６前面側の仕上げ面を構成する。
【００１８】
なお、前記水平固定片６０には、フロントフレーム３４をブラケット３６に取付けた際に、前述した延出部４２に設けられた各第１通孔４６に対応する第３通孔６４が設けられると共に、前記鉛直固定片５６には、前記鉛直部４４に設けられた各第２通孔４８と対応する第４通孔６６が開設されている。そして、図４(ｂ)に示すように、前記フロントフレーム３４をブラケット３６に対して位置決めし、対応する第１通孔４６と第３通孔６４および第２通孔４８と第４通孔６６を夫々一致させた状態で、対応する通孔４６,６４および通孔４８,６６に挿通したリベット６８でフロントフレーム３４とブラケット３６とが固定される。
【００１９】
なお、前記本体２２を構成する他のパネル１２,１４,１８,２０は、従来公知の戸棚に使用される各パネルと同一であって、所定厚みのステンレス鋼を材料とする薄板鋼板で構成される。そして、各パネル１２,１４,１８,２０は、互いに組付けられた後、例えば、固定手段としてのネジやリベット(図示せず)を用いて相互に連結固定される。また、前記仕切板２４は、両サイドパネル１２,１４間に適宜の手段により架設されると共に、該仕切板２４の後面に、前記バックパネル２０がネジを介して連結固定されるようになっている。更に、前後のスライド扉２９,３１は、何れもステンレス鋼を材料とする鋼板により形成された中空パネルの内部に、発泡ウレタン等の発泡材(図示せず)を充填して構成されたものであって、必要な強度を確保すると共に消音性を向上するようにしてある。また、スライド扉２９,３１の表面には、フッ素樹脂コートが施され、手アカや汚れが付き難くしてある。なお、図１の符号７０は、スライド扉２９,３１に設けられた把手を示している。
【００２０】
(実施例の作用)
次に、前述した実施例に係る食器戸棚１０の作用について説明する。前記本体２２を構成するサイドパネル１２,１４、トップパネル１６およびボトムパネル１８は、夫々別に製作された後、バックパネル２０と共に組立てられる。また、前記トップパネル１６については、パネル本体３２およびフロントフレーム３４から別体構成されているので、予め両者を固定しておく必要がある。すなわち、前記フロントフレーム３４をブラケット３６に対して位置決めし、フロントフレーム３４の第３,第４通孔６４,６６をブラケット３６に設けられた第１,第２通孔４６,４８に夫々対応させる。そのうえで、前記リベット６８を整合した第１,第３通孔４６,６４および第２,第４通孔４８,６６に挿通させて、フロントフレーム３４をブラケット３６に固定する。このとき、図４(ａ)に示すように、前記平坦部５０の上面と前記パネル本体３２の上面とが同レベルで一致して、トップパネル１６の上面を構成する。また、パネル本体３２の裏面３２ａが、トップパネル１６の裏面を構成する。
【００２１】
各パネル１２,１４,１６,１８,２０を相互に組付け、ネジやリベットにより連結固定することで食器戸棚１０が完成する。ここで、前記スライド扉２９,３１の一方を開放させた場合、食器戸棚１０の高さ寸法が人間よりも大きいと、図２の矢印で示すように、前記開口部２２ａを介してトップパネル１６の裏側が視認され易くなる。実施例に係る食器戸棚１０にあっては、前述した如く、パネル本体３２の裏面３２ａを仕上げ面として構成したので、開口部２２ａを介してトップパネル１６の裏面が見えたとしても見栄えは良く、食器戸棚１０の商品価値が損なわれることはない。また、前記トップパネル１６は、パネル本体３２の前部にフロントフレーム３４を固定して構成されるため、該フロントフレーム３４によりトップパネル１６の剛性は確保される。従って、従来の戸棚の如く、トップパネル１６に補強材を別途設置する必要がなく、部品点数を抑制して製品コストを低廉にし得る。
【００２２】
また、実施例に係る食器戸棚１０は、フロントフレーム３４の前面部５２がトップパネル１６の前面側の仕上げ面を構成するようにしたので、食器戸棚１０の前面に化粧板等を別途設ける必要がなく、部品点数の増加を回避し得る。更に、パネル本体３２とフロントフレーム３４とは、リベット６８を介して取付けられるので、溶接の工程を必要とせず、工程数を抑制し得る。
【００２３】
なお、実施例では、トップパネル１６の上面にブラケット３６の支持部３８が臨む構成とされていたが、該支持部３８をなくして、フロントフレーム３４の後壁部５８が、パネル本体３２の前面に直接当接する構成としてもよい。また、実施例では、トップパネル１６の裏側に仕上げ面が形成され、該トップパネル１６の表側を仕上げ面としない場合を例示した。しかしながら、コストが嵩む欠点はあるものの、トップパネル１６の表側も仕上げ加工を施して、仕上げ面を構成するようにしてもよい。
【００２４】
実施例では、戸棚として食器類を収納する食器戸棚１０を挙げて説明したが、収納される被収納物は食器類等に限定されるものでなく、その他各種のものを収納する戸棚を対象とし得る。また実施例では、本体２２の開口部２２ａをスライド扉２９,３１により開閉する形態の食器戸棚１０を挙げたが、観音開き式の扉で開口部２２ａを開閉するものであってもよい。なお、一側縁部において回動自在に枢支された一枚の回動式扉で、開口部２２ａを開閉する構造を採用し得る。
【００２５】
実施例では、本体内部に仕切板２４を配設して上下に収納室２６を設けた場合で説明したが、収納室２６は１つ、あるいは３つ以上であってもよく、また収納室２６が左右に分かれる構造であってもよい。なお、パネル本体３２とフロントフレーム３４とを固定する固定手段としては、実施例のリベット６８に限定されるものでなく、ネジやビス等であってもよい。
【図面の簡単な説明】
【００２６】
【図１】実施例に係る食器戸棚を示す正面図である。
【図２】実施例に係る食器戸棚を示す縦断側面図である。
【図３】実施例に係る食器戸棚に採用されたトップパネルを裏側から見た斜視図である。
【図４】実施例に係る食器戸棚に採用されたトップパネルを示す側面図であって、(ａ)はパネル本体にフロントフレームを取付ける様子を示し、(ｂ)はトップパネルの要部拡大図である。
【符号の説明】
【００２７】
１６ トップパネル，２２ 本体，２６ 収納室, ３２ パネル本体
３２ａ 裏面(パネル本体)，３４ フロントフレーム，５０ 平坦部
５２ 前面部，６８ リベット
【図１】
2008093417.tif 000003
【図２】
2008093417.tif 000004
【図３】
2008093417.tif 000005
【図４】
2008093417.tif 000006